(57)【要約】【課題】隔壁の幅に対するバス電極の幅比率を最適化して反射輝度を低く維持しながら、輝度低減を防止して効率極大化を図るプラズマディスプレイパネルを提供する。【解決手段】互いに対向して離隔配置される第１基板１０及び第２基板２０と、第１基板に第１方向に延びて形成されるアドレス電極１１と、アドレス電極に対応する放電セル１７を区画する隔壁１６と、放電セル内に形成される蛍光体層１９と、放電セルに対応して、第２基板に第１方向と交差する第２方向にそれぞれ延びて形成される第１電極３１及び第２電極３２を含む。第１電極及び第２電極は、隔壁に対応して第２方向に延びて形成されるバス電極３１ｂ，３２ｂを含む。隔壁は、第１基板側で第１幅Ｗ１に形成される広幅部と、第２基板側で第１幅よりも狭い第２幅Ｗ２に形成される狭幅部と、を含み、バス電極の幅Ｗ３は、第１幅よりも狭く、かつ、第２幅と同じまたは２幅よりも広い。【選択図】図２
2009004344.tif 000002
【特許請求の範囲】
【請求項１】
互いに対向して離隔配置される第１基板及び第２基板と、
前記第１基板に第１方向に延びて形成されるアドレス電極と、
前記アドレス電極に対応する放電セルを区画する隔壁と、
前記放電セル内に形成される蛍光体層と、
前記放電セルに対応して、前記第２基板に前記第１方向と交差する第２方向にそれぞれ延びて形成される第１電極及び第２電極と、を含み、
前記第１電極及び前記第２電極は、
前記隔壁に対応して、前記第２方向に延びて形成されるバス電極を含み、
前記隔壁は、
前記第１基板側で第１幅に形成される広幅部と、
前記第２基板側で前記第１幅よりも狭い第２幅に形成される狭幅部と、を含み、
前記バス電極の幅は、前記第１幅よりも狭く、かつ、前記第２幅と同じまたは該第２幅よりも広いことを特徴とするプラズマディスプレイパネル。
【請求項２】
前記第１幅に対する第２幅の比率は、０．２１〜０．４０であることを特徴とする請求項１に記載のプラズマディスプレイパネル。
【請求項３】
前記第１幅は、１００〜１６０μｍであり、前記第２幅は、３５〜４５μｍであることを特徴とする請求項２に記載のプラズマディスプレイパネル。
【請求項４】
前記バス電極の幅は、前記第２幅の１〜２倍であることを特徴とする請求項３に記載のプラズマディスプレイパネル。
【請求項５】
前記第１幅は、１００〜１２０μｍであり、前記第２幅は、３５〜４０μｍであることを特徴とする請求項２に記載のプラズマディスプレイパネル。
【請求項６】
前記第１幅は、１２０〜１６０μｍであり、前記第２幅は、４０〜４５μｍであることを特徴とする請求項２に記載のプラズマディスプレイパネル。
【請求項７】
前記隔壁は、前記第１方向に延びつつ前記第２方向に沿って前記放電セルに対応する間隔で形成される複数の第１隔壁部材と、
隣接する前記第１隔壁部材間で前記第２方向に延びつつ前記第１方向に沿って前記放電セルに対応する間隔で形成される複数の第２隔壁部材と、を含むことを特徴とする請求項２に記載のプラズマディスプレイパネル。
【請求項８】
前記バス電極は、前記第２隔壁部材に対応して前記第２基板に形成されることを特徴とする請求項７に記載のプラズマディスプレイパネル。
【請求項９】
前記第２隔壁部材は、前記第１方向に隣接する前記放電セル間で分離されて排気通路を形成する第１２隔壁部材及び第２２隔壁部材を含むことを特徴とする請求項７に記載のプラズマディスプレイパネル。
【請求項１０】
前記第１２隔壁部材と前記第２２隔壁部材とを接続するブリッジ隔壁をさらに含むことを特徴とする請求項９に記載のプラズマディスプレイパネル。
【請求項１１】
前記バス電極は、前記第１２隔壁部材及び前記第２２隔壁部材に対応して前記第２基板に形成されることを特徴とする請求項９に記載のプラズマディスプレイパネル。
【発明の詳細な説明】
【技術分野】
【０００１】
本発明はプラズマディスプレイパネルに関し、より詳しくは、隔壁に対するバス電極の位置及び隔壁の幅に対するバス電極の幅の比率を最適化するプラズマディスプレイパネルに関する。
【背景技術】
【０００２】
一般にプラズマディスプレイパネルは気体放電でプラズマを発生させ、プラズマから放射される真空紫外線（ＶＵＶ：Ｖａｃｕｕｍ  Ｕｌｔｒａ−Ｖｉｏｌｅｔ）で蛍光体を励起させ、励起された蛍光体が安定化されながら発生する赤色（Ｒ）、緑色（Ｇ）、及び青色（Ｂ）の可視光で画像を実現する。
【０００３】
交流型プラズマディスプレイパネルを例に挙げると、背面基板上にアドレス電極が形成され、アドレス電極は誘電層で覆われている。隔壁は誘電層上の各アドレス電極の間に配置されて帯状に形成され、赤色（Ｒ）、緑色（Ｇ）、及び青色（Ｂ）の蛍光体層は隔壁に形成される。
【０００４】
背面基板に対向する前面基板にはアドレス電極と交差する方向に沿って一対の維持電極及び走査電極で構成される表示電極が形成され、表示電極は誘電層及びＭｇＯ保護膜によって覆われている。
【０００５】
背面基板上のアドレス電極と前面基板上の表示電極が交差する場所に放電セルが形成される。プラズマディスプレイパネルの内部には数百万個以上の単位放電セルがマトリックス形態で配列される。
【０００６】
表示電極は放電セル内で面放電を起こす透明電極と、透明電極に電圧を印加するバス電極を含む。バス電極は、黒色を含む不透明材料で形成されるために外光による反射輝度（“反射輝度”と略記することもある）を低下させる効果があるが、放電セル内から前方に放射される映像形成用可視光放射輝度（“輝度”と略記することもある）をも低減させる短所があるので、標準的な外光照度と可視光放射調節（駆動条件設定）におけるコントラスト極大化に適したバス電極形状の設定が望まれる。
【０００７】
隔壁は背面基板側の幅よりも前面基板側の幅を狭く形成して開口率を向上させ、前方に放射される可視光量を増大させるので輝度向上を容易にする。
【発明の開示】
【発明が解決しようとする課題】
【０００８】
本発明の目的は、隔壁の幅に対するバス電極の幅比率を最適化して外光反射輝度を低く維持しながら、可視光放射輝度低減を防止して効率極大化を図るプラズマディスプレイパネルを提供することにある。
【課題を解決するための手段】
【０００９】
本発明の一実施形態によるプラズマディスプレイパネルは、互いに対向して離隔配置される第１基板及び第２基板と、前記第１基板に第１方向に延びて形成されるアドレス電極と、前記アドレス電極に対応する放電セルを区画する隔壁と、前記放電セル内に形成される蛍光体層と、前記放電セルに対応して、前記第２基板に前記第１方向と交差する第２方向にそれぞれ延びて形成される第１電極及び第２電極と、を含み、前記第１電極及び前記第２電極は、前記隔壁に対応して、前記第２方向に延びて形成されるバス電極を含み、前記隔壁は、前記第１基板側で第１幅Ｗ１に形成される広幅部と、前記第２基板側で前記第１幅よりも狭い第２幅Ｗ２に形成される狭幅部と、を含み、前記バス電極の幅Ｗ３は、前記第１幅よりも狭く、かつ、前記第２幅と同じまたは該第２幅よりも広いことを特徴とする。
【００１０】
前記第１幅に対する第２幅の比率（Ｗ２／Ｗ１）は、０．２１〜０．４０であることができる。
【００１１】
前記第１幅は、１００〜１６０μｍであって、前記第２幅は、３５〜４５μｍであり得る。
【００１２】
前記バス電極の幅は、前記第２幅の１〜２倍であってもよい。
【００１３】
前記第１幅は、１００〜１２０μｍであり、前記第２幅は、３５〜４０μｍであり得る。
【００１４】
前記第１幅は、１２０〜１６０μｍであり、前記第２幅は、４０〜４５μｍであり得る。
【００１５】
前記隔壁は、前記第１方向に延びつつ前記第２方向に沿って前記放電セルに対応する間隔で形成される複数の第１隔壁部材と、隣接する前記第１隔壁部材間で前記第２方向に延びつつ前記第１方向に沿って前記放電セルに対応する間隔で形成される複数の第２隔壁部材と、を含むことができる。
【００１６】
前記バス電極は、前記第２隔壁部材に対応して前記第２基板に形成されることができる。
【００１７】
前記第２隔壁部材は、前記第１方向に隣接する前記放電セル間で分離されて排気通路を形成する第１２隔壁部材及び第２２隔壁部材を含むことができる。
【００１８】
本発明の一実施形態によるプラズマディスプレイパネルは、前記第１２隔壁部材と前記第２２隔壁部材とを接続するブリッジ隔壁をさらに含むことができる。
【００１９】
前記バス電極は、前記第１２隔壁部材及び前記第２２隔壁部材に対応して前記第２基板に形成されることができる。
【発明の効果】
【００２０】
本発明によるプラズマディスプレイパネルによると、隔壁を第１基板側で広幅部に形成し第２基板側で狭幅部に形成するとともに、隔壁に対応して第２基板に形成するバス電極の幅を広幅部よりも狭く、かつ狭幅部と同じまたは狭幅部よりも広く形成するので、外光反射輝度を低く維持しながら可視光放射輝度低減を防止する効果がある。広幅部に対する狭幅部の比、つまり、第１幅に対する第２幅の比率（Ｗ２／Ｗ１）は０．２１〜０．４０であり、９．２〜１０．４（ｃｄ／ｍ２）の範囲で反射輝度を低く維持しながら、輝度を１７１〜１７８（ｃｄ／ｍ２）の範囲で高く維持する効果がある。
【発明を実施するための最良の形態】
【００２１】
以下、添付した図面を参照して本発明の実施形態について本発明が属する技術分野における通常の知識を有する者が容易に実施できるように詳しく説明する。しかし、本発明は多様で相異なる形態で実現することができ、ここで説明する実施形態に限られない。図面で本発明を明確に説明するために説明上不必要な部分は省略し、明細書全体にわたって同一または類似の構成要素に対しては同一な参照符号を付けた。
【００２２】
図１は、本発明の一実施形態によるプラズマディスプレイパネルを概略的に示す分解斜視図である。
【００２３】
図１を参照すると、本実施形態のプラズマディスプレイパネルは、予め設定された間隔をおいて互いに対向配置されて封着される第１基板（以下、“背面基板”と称する）１０及び第２基板（以下、“前面基板”と称する）２０と、両基板１０，２０間に形成される隔壁１６と、を含む。
【００２４】
隔壁１６は、背面基板１０と前面基板２０との間で予め設定された高さに形成されて複数の放電セル１７を区画する。放電セル１７は、気体放電で真空紫外線を発生させるように放電ガス（例えば、ネオン（Ｎｅ）とキセノン（Ｘｅ）を含む混合ガス）で充填され、真空紫外線を吸収して可視光を放出する蛍光体層１９を備えている。
【００２５】
プラズマディスプレイパネルは、気体放電で画像を実現するために、背面基板１０と前面基板２０との間で各放電セル１７に対応するようにアドレス電極１１、第１電極（以下、“維持電極”と称する）３１、及び第２電極（以下、“走査電極”と称する）３２を備える。
【００２６】
アドレス電極１１は、背面基板１０の内側表面で第１方向（図面のｙ軸方向）に沿って伸長形成されてｙ軸方向に隣接する放電セル１７に連続的に対応する。また、複数のアドレス電極１１は、互いに平行に配置されてｙ軸方向と交差する第２方向（図面のｘ軸方向）に沿って隣接する放電セル１７にそれぞれ対応する。
【００２７】
図２は、図１のII−II線に沿った断面図である。
【００２８】
図２を参照すると、第１誘電層１３は、背面基板１０の内側表面に形成されてアドレス電極１１を覆う。第１誘電層１３は、放電が行われる時に陽イオンまたは電子がアドレス電極１１に直接衝突するのを防止してアドレス電極１１の損傷を防止し、また壁電荷の形成及び蓄積場所を提供する。
【００２９】
アドレス電極１１は、背面基板１０に配置されて可視光が前方に照射されることを妨害しないので、不透明な電極で形成されることができる。例えば、アドレス電極１１は、優れた導電性を有する金属電極で形成されることができる。
【００３０】
隔壁１６は、アドレス電極１１に対応して放電セル１７を区画する。実際に、隔壁１６は、第１誘電層１３上に形成される。したがって、放電セル１７は、背面基板１０側で隔壁１６と第１誘電層１３によって区画される。
【００３１】
蛍光体層１９は、隔壁１６の側面及び隔壁１６間に位置する第１誘電層１３の表面に形成される。例えば、蛍光体層１９は、蛍光体ペーストを塗布し、これを乾燥及び焼成することによって形成される。
【００３２】
蛍光体層１９は、ｙ軸方向に沿って形成される放電セル１７で同一色の蛍光体に形成される。また、蛍光体層１９は、ｘ軸方向に沿って反復的に配置される放電セル１７に、赤色（Ｒ）、緑色（Ｇ）、及び青色（Ｂ）の蛍光体によって反復的に形成される。
【００３３】
維持電極３１及び走査電極３２は、前面基板２０の内側表面に備えられて放電セル１７で気体放電を起こすように各放電セル１７に対応して面放電構造を形成する。
【００３４】
図３は、放電セルと電極の配置関係を示す平面図である。
【００３５】
図３を参照すると、維持電極３１及び走査電極３２は、アドレス電極１１と交差するｘ軸方向に沿って連続的に形成される。
【００３６】
維持電極３１及び走査電極３２は、それぞれ放電を起こす透明電極３１ａ，３２ａと、透明電極３１ａ，３２ａに電圧信号を印加するバス電極３１ｂ，３２ｂと、を含む。
【００３７】
透明電極３１ａ，３２ａは、放電セル１７の内部で面放電を起こす部分で、放電セル１７の開口率確保のために透明な素材（例えば、酸化インジウム錫）で形成される。
【００３８】
バス電極３１ｂ，３２ｂは、透明電極３１ａ，３２ａの高い電気抵抗を補償するように導電性に優れた金属素材で形成され、外光反射率を低くするように黒色を含んで形成される。
【００３９】
透明電極３１ａ，３２ａは、ｙ軸方向に沿って放電セル１７の外郭部から中心部に向かって幅Ｗ３１，Ｗ３２をそれぞれ有して互いに面放電構造を形成し、各放電セル１７の中心部で放電ギャップＤＧを形成する。
【００４０】
バス電極３１ｂ，３２ｂは、透明電極３１ａ，３２ａ上にそれぞれ配置され、放電セル１７の外郭部でｘ軸方向に伸張形成される。バス電極３１ｂ，３２ｂに電圧信号を印加すると、電圧信号は各バス電極３１ｂ，３２ｂに連結される透明電極３１ａ，３２それぞれに印加される。
【００４１】
なお、維持電極３１及び走査電極３２は、バス電極３１ｂ，３２ｂと、バス電極３１ｂ，３２ｂと同一材料で形成されてバス電極３１ｂ，３２ｂから放電セル１７の内側に突出する不透明の突出電極（図示せず）とから形成されてもよい。この場合、突出電極は、透明電極を代替して放電ギャップを形成する。
【００４２】
再び図１及び図２を参照すると、維持電極３１及び走査電極３２は、アドレス電極１１と交差し、各放電セル１７内で互いに対向する。第２誘電層２３は、前面基板２０に形成されて維持電極３１及び走査電極３２を覆う。第２誘電層２３は、維持電極３１及び走査電極３２を気体放電から保護し、放電時に壁電荷の形成及び蓄積場所を提供する。
【００４３】
保護膜２４は、第２誘電層２３上に形成されて第２誘電層２３を覆う。例えば、保護膜２４は、第２誘電層２３を保護する透明なＭｇＯで形成されて放電時に二次電子放出係数を高める。
【００４４】
例えば、プラズマディスプレイパネルの駆動を説明すると、リセット期間では、走査電極３２に印加されるリセットパルスによってリセット放電が起こる。リセット期間に続くスキャン期間では、走査電極３２に印加されるスキャンパルスとアドレス電極１１に印加されるアドレスパルスによってアドレス放電が起こる。その後、維持期間では、維持電極３１及び走査電極３２に印加される維持パルスによって維持放電が起こる。
【００４５】
維持電極３１及び走査電極３２は、維持放電に必要な維持パルスを印加する電極の役割を果たす。走査電極３２は、リセットパルス及びスキャンパルスを印加する電極の役割を果たす。アドレス電極１１は、アドレスパルスを印加する電極の役割を果たす。
【００４６】
なお、維持電極３１、走査電極３２、及びアドレス電極１１は、それぞれに印加される電圧波形に応じてその役割を変えることができるので、必ずしもこれらの役割に限定されるものではない。
【００４７】
プラズマディスプレイパネルは、アドレス電極１１と走査電極３２の相互作用によるアドレス放電によって点灯される放電セル１７を選択し、維持電極３１と走査電極３２の相互作用による維持放電によって選択した放電セル１７を駆動させて画像を実現する。
【００４８】
再び、図１〜図３を参照して、隔壁１６及びバス電極３１ｂ，３２ｂについてより具体的に説明する。
【００４９】
隔壁１６は、背面基板１０側で第１幅Ｗ１に形成される広幅部１６Ｗと、前面基板２０側で第２幅Ｗ２に形成される狭幅部１６Ｎと、を含む。第１幅Ｗ１は、第２幅Ｗ２よりも広い。隔壁１６は、広幅部１６Ｗから狭幅部１６Ｎに続く傾斜面を有する。隔壁１６の傾斜面には、蛍光体層１９が形成されている。
【００５０】
バス電極３１ｂ，３２ｂは、隔壁１６に対応して前面基板２０に形成され、第３幅Ｗ３を有する。第３幅Ｗ３は、第１幅Ｗ１よりも狭く、かつ、第２幅Ｗ２と同じ又は第２幅Ｗ２よりも広い。すなわち、バス電極３１ｂ，３２ｂは、隔壁１６の狭幅部１６Ｎの第２幅Ｗ２と同じ又は第２幅Ｗ２よりも広く形成される。
【００５１】
図２に示したように、バス電極３１ｂ，３２ｂの中心と隔壁１６の中心とが一致する場合、バス電極３１ｂ，３２ｂのｙ方向に沿った両端部は、隔壁１６の傾斜面に対応して位置する。バス電極３１ｂ，３２ｂは、隔壁１６に対応し、また、隔壁１６の狭幅部１６Ｎの第２幅Ｗ２と同じまたは第２幅Ｗ２よりも広く形成されるので、低い外光反射輝度を維持する（表１参照）。
【００５２】
また、バス電極３１ｂ，３２ｂは、広幅部１６Ｗの第１幅Ｗ１よりも小さく形成される。バス電極３１ｂ，３２ｂは、隔壁１６に対応し、また、隔壁１６の広幅部１６Ｗの第１幅Ｗ１よりも狭く形成されるので、放電セル１７で前方に照射される可視光の遮断を最少化して可視光放射輝度低下を防止する（表１参照）。
【００５３】
隔壁１６の第１幅Ｗ１及び第２幅Ｗ２とバス電極３１ｂ，３２ｂの第３幅Ｗ３による反射輝度及び輝度関係は表１の通りである。表１を参照して説明すると、第１幅Ｗ１に対する第２幅Ｗ２の比率（Ｗ２／Ｗ１）は、０．２１〜０．４０の範囲である。
【００５４】
比率（Ｗ２／Ｗ１）が小さいほど、隔壁１６はゆるやか傾斜をなして隔壁１６の傾斜面に形成された蛍光体層１９で発生して前方へ照射される可視光の量が増大される。しかしながら、比率（Ｗ２／Ｗ１）が０．２１より小さい場合、隔壁１６の傾斜面で発生される可視光は、上部のバス電極３１ｂ，３２ｂによってかえって遮断されることがある。
【００５５】
隔壁１６において、広幅部１６Ｗの第１幅Ｗ１は、１００〜１６０μｍ範囲であり、狭幅部１６Ｎの第２幅Ｗ２は、３５〜４５μｍ範囲である。隔壁１６に対応して配置されるバス電極３１ｂ，３２ｂの第３幅Ｗ３は、第２幅Ｗ２の１〜２倍範囲を含む。なお、バス電極３１ｂ，３２ｂの第３幅Ｗ３が、第２幅Ｗ２の２倍よりも大きい場合、放電セル１７の開口率を過度に低くするおそれがある。
【００５６】
また、好ましくは、隔壁１６において、広幅部１６Ｗの第１幅Ｗ１は１００〜１２０μｍ範囲であり、狭幅部１６Ｎの第２幅Ｗ２は３５〜４０μｍ範囲である。
【００５７】
また、好ましくは、隔壁１６において、広幅部１６Ｗの第１幅Ｗ１は、１２０〜１６０μｍ範囲であり、狭幅部１６Ｎの第２幅Ｗ２は、４０〜４５μｍである。
【００５８】
ここで、上記数値は、たとえば、放電セルのピッチが７５０μｍ、かつ、解像度が１９２０×１０８０ピクセルといった超高精細プラズマディスプレイパネルを基準にするものである。
【００５９】
本実施形態に対応するこのような範囲の実施例１〜実施例７は、低い外光反射輝度を維持しながら、高い可視光放射輝度を維持する。これに比べて、比較例１〜比較例３は、低い外光反射輝度を維持するが、急下降された可視光放射輝度を示している。
【００６０】
【表１】
2009004344.tif 000003
【００６１】
表１から分かるように、本発明の実施例及び比較例は、９．１〜１０．６（ｃｄ／ｍ２）のように大体類似な範囲の外光反射輝度を有する。また、比較例は、実施例に比べて著しく低下した可視光放射輝度を有する反面、実施例は、高い可視光放射輝度をそのまま維持する。
【００６２】
表１のような外光反射輝度及び可視光放射輝度は、多様な構造の隔壁１６でも可能である。上記実施形態では、放電セル１７の構造に対して限定せず、バス電極３１ｂ，３２ｂに対する隔壁１６の広幅部１６Ｗ及び狭幅部１６Ｎの大きさについてのみ説明した。
【００６３】
図３を例に上げて説明すると、隔壁１６はｙ軸方向に伸張形成される第１隔壁部材１６ａと、第１隔壁部材１６ａ間でｘ軸方向に伸張形成される第２隔壁部材１６ｂと、を含み、放電セル１７を独立構造に形成している。
【００６４】
バス電極３１ｂ，３２ｂは、第１隔壁部材１６ａと交差し、第２隔壁部材１６ｂに対応して第２隔壁部材１６ｂと平行に形成される。
【００６５】
第２隔壁部材１６ｂは、ｙ軸方向に隣接する放電セル１７に共有構造で形成されることもできるが（図示せず）、ｙ軸方向に隣接する放電セル１７のそれぞれに対して形成されることもできる。
【００６６】
例えば、第２隔壁部材１６ｂは、２重に形成される第１２隔壁部材１１６ｂと第２２隔壁部材２１６ｂとを含むことができる。バス電極３１ｂ，３２ｂは、隣接する２個の放電セル１７に互いに平行に配置される。つまり、バス電極３１ｂ，３２ｂは、それぞれ第１２隔壁部材１１６ｂ及び第２２隔壁部材２１６ｂに対応して前面基板２０に配置される。
【００６７】
第１２隔壁部材１１６ｂ及び第２２隔壁部材２１６ｂは、背面基板１０側に第１幅Ｗ１を有する広幅部で形成され、前面基板２０側に第２幅Ｗ２を有する狭幅部に形成されることができる。言い換えれば、本実施形態の第１２隔壁部材１１６ｂ及び第２２隔壁部材２１６ｂは、前面基板２０から背面基板１０に向かって広がる断面台形状に形成されることができる。
【００６８】
広幅部及び狭幅部は、隔壁１６の説明で十分に説明されて同一に適用できるので、第１２隔壁部材１１６ｂ及び第２２隔壁部材２１６ｂでは、別途に区別して図面符号を記載して説明することを省略する。
【００６９】
本実施形態の隔壁１６は、ブリッジ隔壁３１６をさらに含む。ブリッジ隔壁３１６は、第１２隔壁部材１１６ｂと第２２隔壁部材２１６ｂとの間に配置されて第１２隔壁部材１１６ｂと第２２隔壁部材２１６ｂとをｙ軸方向に互いに連結する。
【００７０】
第２隔壁部材１６ｂは、ｙ軸方向に隣接する放電セル１７間に排気通路１８を形成して排気性能を向上させる。本実施の形態では、排気通路１８は、第１２隔壁部材１１６ｂ及び第２２隔壁部材２１６ｂによって隣接する放電セル１７間に形成される。
【００７１】
排気通路１８は、プラズマディスプレイパネルを製作するとき、両基板１０，２０を対向配置した後、残留ガスを排気させて放電ガスを充填する際にガス移動経路を提供する。
【００７２】
第２隔壁１６ｂが第１２隔壁部材１１６ｂ及び第２２隔壁部材２１６ｂを含む場合、前面基板２０側のバス電極３１ｂ，３２ｂでは、第１２隔壁部材１１６ｂと第２２隔壁部材２１６ｂとの間の排気通路１８側に広がるように、第３幅Ｗ３がさらに広く形成されることができる。さらに、バス電極３１ｂ，３２ｂが排気通路１８側に向かってシフトされることにより、放電セル１７の開口率を拡大することができる。したがって、第２隔壁１６ｂが第１２隔壁部材１１６ｂ及び第２２隔壁部材２１６ｂを含む場合、与えられた放電セル１７のセル面積に対して開口率を低下させることなく、バス電極３１ｂ，３２ｂの第３幅Ｗ３を広く形成することができる。
【００７３】
排気通路１８を形成する第２隔壁１６ｂは、排気通路１８を形成しない第２隔壁１６ｂに比べて第２隔壁１６ｂ上でバス電極３１ｂ，３２ｂの第３幅Ｗ３をより広く形成することができるので、外光反射輝度をさらに下げながら可視光放射輝度をさらに向上させることができる。
【００７４】
以上、本発明の好ましい実施形態について説明したが、本発明はこれに限定されるわけではなく、特許請求の範囲と発明の詳細な説明及び添付した図面の範囲内で多様に変形して実施することが可能であり、これもまた本発明の範囲に属することは当然である。
【図面の簡単な説明】
【００７５】
【図１】本発明の一実施形態によるプラズマディスプレイパネルを概略的に示す分解斜視図である。
【図２】図１のII−II線に沿った断面図である。
【図３】放電セルと電極の配置関係を示す平面図である。
【符号の説明】
【００７６】
１０    第１基板（背面基板）、
１１    アドレス電極、
１３    第１誘電層、
２３    第２誘電層、
１６    隔壁、
１６ａ    第１隔壁部材、
１６ｂ    第２隔壁部材、
１１６ｂ    第１２隔壁部材、
２１６ｂ    第２２隔壁部材、
３１６    ブリッジ隔壁、
Ｗ１，Ｗ２，Ｗ３    幅、
１６Ｗ    広幅部、
１６Ｎ    狭幅部、
ＤＧ    放電ギャップ、
１７    放電セル、
１８    排気通路、
１９    蛍光体層、
２０    第２基板（前面基板）、
２４    保護膜、
３１    第１電極（維持電極）、
３２    第２電極（走査電極）、
３１ａ，３２ａ    透明電極、
３１ｂ，３２ｂ    バス電極。
【図１】
2009004344.tif 000004
【図２】
2009004344.tif 000005
【図３】
2009004344.tif 000006